(57)【特許請求の範囲】
【請求項１】
複数台の室外ユニット及び室内ユニットを有し、上記室外ユニットが、圧縮機及び室外熱交換器を備えるとともに、複数本の通信配線が接続される端子板を備えた空気調和システムにおいて、
上記室外ユニットにおける上記端子板は、横長に形成され、当該端子板の一方の長辺には、当該室外ユニットの室外制御基板部に通信配線を介して接続される一対の端子が形成され、他方の長辺には、他の上記室外ユニットの室外制御基板部、及び上記室内ユニットの室内制御基板部が個別に接続される複数対の端子が横並びに形成され、これら複数対の端子は、上記一対の端子と上記端子板上でそれぞれ並列に接続されるとともに、各対の端子間距離が、隣接する対の端子との距離よりも短くなるように配置されていることを特徴とする空気調和システム。
【請求項２】
複数台の室外ユニット、室内ユニット及び蓄熱ユニットを有し、上記室外ユニットが、圧縮機及び室外熱交換器を備えるとともに、複数本の通信配線が接続される端子板を備えた空気調和システムにおいて、
上記室外ユニットにおける上記端子板は、横長に形成され、当該端子板の一方の長辺には、当該室外ユニットの室外制御基板部に通信配線を介して接続される一対の端子が形成され、他方の長辺には、他の上記室外ユニットの室外制御基板部、上記室内ユニットの室内制御基板部、及び上記蓄熱ユニットの氷蓄熱制御基板部が個別に接続される複数対の端子が横並びに形成され、これら複数対の端子は、上記一対の端子と上記端子板上でそれぞれ並列に接続されるとともに、各対の端子間距離が、隣接する対の端子との距離よりも短くなるように配置されていることを特徴とする空気調和システム。
【請求項３】
上記端子板の各端子の近傍には、これらの各端子のそれぞれに接続される配線に対応した室外ユニット、室内ユニット、蓄熱ユニットの名称が表示されたことを特徴とする請求項１または２に記載の空気調和システム。
【発明の詳細な説明】
【０００１】
【発明の属する技術分野】
本発明は、通信配線を接続するための端子板を室外ユニットに備えた空気調和システムに関する。
【０００２】
【従来の技術】
室外ユニット、室内ユニット及び氷蓄熱ユニットが複数配設されてなる空気調和システムにおいては、図６に示すように、室外ユニットに設置された端子板１００の一対の端子１０１は、当該室外ユニットの室外制御基板部に接続されている。端子板１００上で、この端子１０１に接続された他の一対の端子１０２は、当該室外ユニットに冷媒配管を介して連結された複数台の室内ユニットの室内制御基板部に、２本の通信配線１０３を介して接続されている。また、上記端子１０２は、当該室外ユニットに冷媒配管を介して連結された１台の氷蓄熱ユニットの氷蓄熱制御基板部に、２本の通信配線１０４を介して接続されている。更に、上記一対の端子１０２は、他の室外ユニットの室外制御基板部に２本の通信配線１０５を介して接続され、更に他の室外ユニットの室外制御基板部に他の２本の通信配線１０６を介して接続されている。
【０００３】
【発明が解決しようとする課題】
このように、端子板１００の一対の端子１０２に多数本の配線（通信配線１０３、１０４、１０５、１０６等）が接続されているので、この端子１０２に接続される配線が錯綜して、誤配線の恐れがある。
【０００４】
また、誤配線が発生していることが分かった場合でも、端子１０２に接続されたどの配線が誤っているのかを発見することが難しく、誤配線の修正に多大な時間を要する。
【０００５】
更に、端子板１００の同一の端子１０２に多数本の配線（通信配線１０３、１０４、１０５、１０６等）を、接続するために固定することから、狭い場所での固定作業となって、端子１０２への配線の固定が不充分なものとなる恐れがある。
【０００６】
本発明の目的は、上述の事情を考慮してなされたものであり、複数個の端子に接続される複数本の配線の誤配線を防止できる空気調和システムを提供することにある。
【０００７】
また、本発明の他の目的は、複数個の端子に接続される複数本の配線の誤配線を容易に修正できる空気調和システムを提供することにある。
【０００８】
更に、本発明の他の目的は、複数個の端子に接続される複数本の配線を確実に固定できる空気調和システムを提供することにある。
【０００９】
【課題を解決するための手段】
請求項１に記載の発明は、複数台の室外ユニット及び室内ユニットを有し、上記室外ユニットが、圧縮機及び室外熱交換器を備えるとともに、複数本の通信配線が接続される端子板を備えた空気調和システムにおいて、上記室外ユニットにおける上記端子板は、横長に形成され、当該端子板の一方の長辺には、当該室外ユニットの室外制御基板部に通信配線を介して接続される一対の端子が形成され、他方の長辺には、他の上記室外ユニットの室外制御基板部、及び上記室内ユニットの室内制御基板部が個別に接続される複数対の端子が横並びに形成され、これら複数対の端子は、上記一対の端子と上記端子板上でそれぞれ並列に接続されるとともに、各対の端子間距離が、隣接する対の端子との距離よりも短くなるように配置されていることを特徴とするものである。
【００１４】
請求項２に記載の発明は、複数台の室外ユニット、室内ユニット及び蓄熱ユニットを有し、上記室外ユニットが、圧縮機及び室外熱交換器を備えるとともに、複数本の通信配線が接続される端子板を備えた空気調和システムにおいて、上記室外ユニットにおける上記端子板は、横長に形成され、当該端子板の一方の長辺には、当該室外ユニットの室外制御基板部に通信配線を介して接続される一対の端子が形成され、他方の長辺には、他の上記室外ユニットの室外制御基板部、上記室内ユニットの室内制御基板部、及び上記蓄熱ユニットの氷蓄熱制御基板部が個別に接続される複数対の端子が横並びに形成され、これら複数対の端子は、上記一対の端子と上記端子板上でそれぞれ並列に接続されるとともに、各対の端子間距離が、隣接する対の端子との距離よりも短くなるように配置されていることを特徴とするものである。
【００１５】
請求項３に記載の発明は、請求項１または２に記載の発明において、上記端子板の各端子の近傍には、これらの各端子のそれぞれに接続される配線に対応した室外ユニット、室内ユニット、蓄熱ユニットの名称が表示されたことを特徴とするものである。
【００１６】
請求項１、２に記載の発明には、次の作用がある。
【００１７】
複数個の端子のそれぞれは、各機器（室外ユニット、室内ユニット、蓄熱ユニット）のそれぞれに接続された配線を接続するための専用の端子であり、これらの各端子には、対応した機器の配線のみが接続されることから、端子板の端子に接続される配線が錯綜しないので、複数個の端子に接続される複数本の配線の誤配線を防止できるとともに、誤配線の発見を容易にでき、且つ誤配線の修正も容易に実施できる。
【００１８】
また、複数個の端子のそれぞれに、対応した機器の配線のみが接続されることから、各端子に一本の配線が固定して接続されるので、配線の接続作業が容易となって、各端子による配線の固定を強固に実施できる。
【００１９】
請求項３に記載の発明には、次の作用がある。
【００２０】
各端子の近傍に、これらの各端子のそれぞれに接続される配線に対応した機器（室外ユニット、室内ユニット、蓄熱ユニット）の名称が表示されたことから、各端子にどの配線を接続すべきかが明確になるので、各端子への配線の誤配線を確実に防止できる。
【００２１】
【発明の実施の形態】
以下、本発明の実施の形態を、図面に基づき説明する。
【００２２】
図１は、本発明に係る空気調和システムの一実施の形態を示す系統図である。
【００２３】
この図１に示すように、空気調和システム１は、複数台の空気調和装置１０が設置されて構成され、各空気調和装置１０は、１または複数台の室外ユニット１１、複数台の室内ユニット１３、及び１台の蓄熱ユニットとしての氷蓄熱ユニット１２を備えて構成される。
【００２４】
各空気調和装置１０においては、図２に示すように、室外ユニット１１の冷媒配管１４と、複数台の室内ユニット１３の並列配置された冷媒配管３０，３１及び３２を接続する冷媒配管１５Ａ及び１５Ｂとが、氷蓄熱ユニット１２の冷媒配管１６，１７により接続される。冷媒配管１５Ａが冷媒配管１６に、冷媒配管１５Ｂが冷媒配管１７に接続される。
【００２５】
室外ユニット１１は、冷媒配管１４に容量可変型の圧縮機１８Ａ，１８Ｂが並列に配設され、これらの圧縮機１８Ａ及び１８Ｂの吸込側にアキュムレータ１９が、吐出側に四方弁２０がそれぞれ配設され、この四方弁２０に室外熱交換器２１、電動膨張弁２２及びレシーバタンク２３が冷媒配管１４を介して順次接続される。
【００２６】
各室内ユニット１３は、冷媒配管３０，３１，３２のそれぞれに室内熱交換器２４，２５，２６が配設され、これら冷媒配管３０，３１，３２において室内熱交換器２４，２５，２６近傍に電動膨張弁２７，２８，２９が配設されて構成される。これらの電動膨張弁２７，２８，２９は、空調負荷に応じて開度が調整される。
【００２７】
上記氷蓄熱ユニット１２は、コイル３５を収容した蓄熱槽としての氷蓄熱槽３６を備えるとともに、冷媒配管１６にレシーバタンク３７、電動膨張弁３８及び第１電動開閉弁４１が、室外ユニット１１側から室内ユニット１３へ向かい順次配設される。また、冷媒配管１６には、電動膨張弁３８と第１電動開閉弁４１との間に、接続配管３９を介してコイル３５の一端が接続される。コイル３５の他端は、接続配管４０を介して氷蓄熱ユニット１２の冷媒配管１７に接続され、この接続配管４０に第２電動開閉弁４２が配設される。更に、冷媒配管１６には、レシーバタンク３７と電動膨張弁３８との間に、第３電動開閉弁４３を備えた接続配管４４の一端が接続される。この接続配管４４の他端は、接続配管４０における第２電動開閉弁４２とコイル３５との間に接続される。
【００２８】
上記氷蓄熱槽３６内には二次媒体としての水が充填され、コイル３５は水没状態で配設される。空気調和装置１０の蓄熱運転としての製氷運転時には、コイル３５内に、室外熱交換器２１からの一次媒体としての液冷媒が流入して蒸発し、これにより、コイル３５の外周に氷が付着して形成されて、この氷に冷熱が蓄熱される。空気調和装置１０の放熱運転としての解氷冷房運転時には、コイル３５内に、室外熱交換器２１からの液冷媒が満杯状態で流入し、この液冷媒は、コイル３５外周に付着した氷を融解し、この氷に蓄熱された冷熱の放熱により過冷却状態となる。
【００２９】
次に、空気調和装置１０の製氷運転、解氷冷房運転、通常冷房運転を説明する。
【００３０】
[Ａ]製氷運転
図２に示す空気調和装置１０の製氷運転は、例えば、夜間１０時から翌朝８時までの電力料金が安い時間帯に、室外ユニット１１における室外熱交換器２１からの液冷媒を氷蓄熱ユニット１２における氷蓄熱槽３６内のコイル３５へ供給し、氷蓄熱槽３６内に氷を作る運転である。
【００３１】
この場合には、氷蓄熱ユニット１２において、第１電動開閉弁４１及び第３電動開閉弁４３が閉弁され、電動膨張弁３８及び第２電動開閉弁４２が開弁操作される。また、各室内ユニット１３の電動膨張弁２７，２８及び２９は閉弁する。この状態で、室外ユニット１１の圧縮機１８Ａ，１８Ｂが起動されると、これらの圧縮機１８Ａ，１８Ｂから吐出されたガス冷媒は、室外熱交換器２１にて凝縮され、電動膨張弁２２並びに氷蓄熱ユニット１２の電動膨張弁３８を経て減圧され、氷蓄熱槽３６内のコイル３５へ流入する。このコイル３５内に流入した冷媒は蒸発されて、コイル３５の外周に氷を付着した状態で形成する。その後、コイル３５内のガス冷媒は、接続配管４０及び第２電動開閉弁４２並びに冷媒配管１７を経て四方弁２０へ至り、アキュムレータ１９を経て圧縮機１８Ａ，１８Ｂに戻される。
【００３２】
この製氷運転によって氷蓄熱槽３６内に氷が形成され、この氷に蓄熱された冷熱が、次の解氷冷房運転に利用される。
【００３３】
[Ｂ]解氷冷房運転
空気調和装置１０の解氷冷房運転は、例えば、昼間、気温が上昇する時間帯に、室外ユニット１１における室外熱交換器２１からの液冷媒を、氷蓄熱ユニット１２における氷蓄熱槽３６内のコイル３５へ供給させて過冷却状態とし、この過冷却状態の液冷媒を室内ユニット１３の室内熱交換器２４，２５，２６へ供給して実施される。
【００３４】
この場合には、氷蓄熱ユニット１２において、第２電動開閉弁４２が閉弁され、第１電動開閉弁４１及び第３電動開閉弁４３が開弁され、電動膨張弁３８の開度が後述の如く調整される。また、室内ユニット１３の電動膨張弁２７，２８及び２９が開弁される。
【００３５】
この状態で、室外ユニット１１の圧縮機１８Ａ，１８Ｂが起動されると、これらの圧縮機１８Ａ，１８Ｂから吐出されたガス冷媒は、室外熱交換器２１にて凝縮され、電動膨張弁２２並びに氷蓄熱ユニット１２の冷媒配管１６、接続配管４４及び第３電動開閉弁４３を経て氷蓄熱槽３６内のコイル３５へ流入する。このコイル３５内に流入した液冷媒は、コイル３５内を満杯状態で流れ、コイル３５の外周に付着した氷を解氷し、この氷に蓄熱された冷熱により過冷却状態となる。その後、コイル３５内の過冷却状態の液冷媒は、接続配管３９、第１電動開閉弁４１及び冷媒配管１６、並びに各室内ユニット１３の冷媒配管１５Ａ及び電動膨張弁２７，２８，２９を経て室内熱交換器２４，２５，２６へそれぞれ流入し、これらの室内熱交換器２４，２５，２６のそれぞれにより蒸発して室内を冷房する。その後、ガス冷媒は、冷媒配管３０，３１，３２及び冷媒配管１５Ｂを通り、氷蓄熱ユニット１２の冷媒配管１７を経、四方弁２０及びアキュムレータ１９を経た後圧縮機１８Ａ，１８Ｂへ戻される。
【００３６】
従って、この解氷冷房運転時では、前述の製氷運転で氷蓄熱槽３６内の氷に蓄熱された冷熱を利用し、氷蓄熱槽３６のコイル３５内で液冷媒を過冷却状態として各室内熱交換器２４，２５，２６へ供給するので、これら室内熱交換器２４，２５，２６における冷房運転の効率を向上させることができる。
【００３７】
また、上述の解氷冷房運転においては、氷蓄熱ユニット１２において、コイル３５から接続配管３９を介し第１電動開閉弁４１側の冷媒配管１６へ流入した液冷媒温度Ｅ１が、室内ユニット１３における室内熱交換器２４，２５，２６内の液冷媒温度Ｅ２よりも低いときに、電動膨張弁３８の開度が調整されて、氷蓄熱槽３６内のコイル３５で過冷却された液冷媒に、室外熱交換器２１及び電動膨張弁２２からの液冷媒を合流させ、この合流した液冷媒を室内熱交換器２４，２５，２６へ供給する。このような解氷冷房運転は、室外熱交換器２１及び電動膨張弁２２からの液冷媒が、コイル３５内で過冷却された液冷媒よりも温度が高いことから、室内熱交換器２４，２５，２６へ流れる液冷媒の温度を上昇させて、これら室内熱交換器２４，２５，２６による室内の冷房運転を適正化するものである。
【００３８】
「Ｃ」通常冷房運転
空気調和装置１０における通常冷房運転は、氷蓄熱ユニット１２における氷蓄熱槽３６内の氷に蓄熱された冷熱を利用しないで実施される冷房運転であり、第２電動開閉弁４２及び第３電動開閉弁４３が閉弁され、電動膨張弁３８及び第１電動開閉弁４１が開弁される。また、各室内ユニット１３における電動膨張弁２７，２８及び２９は開弁される。
【００３９】
この状態で、室外ユニット１１の圧縮機１８Ａ，１８Ｂが起動されると、これらの圧縮機１８Ａ，１８Ｂから吐出されたガス冷媒は、室外熱交換器２１にて凝縮され、電動膨張弁２２並びに氷蓄熱ユニット１２の冷媒配管１６、電動膨張弁３８及び第１電動開閉弁４１を通り、室内ユニット１３の冷媒配管１５Ａ及び電動膨張弁２７，２８，２９を経て室内熱交換器２４，２５，２６へそれぞれ流入し、これらの室内熱交換器２４，２５，２６のそれぞれにより蒸発して室内を冷房した後、冷媒配管１５Ｂを通り、氷蓄熱ユニット１２の冷媒配管１７を経、四方弁２０及びアキュムレータ１９を経た後、圧縮機１８Ａ，１８Ｂへ戻される。
【００４０】
図３及び図４に示すように、上記室外ユニット１１は、室外ユニット本体である箱体５１の背面及び両側面に空気吸込口５２を形成している。室外ユニット１１の上面には空気吹出口５３が形成されており、空気吸込口５３に対向してファン５４が配設されている。そして、運転中はファン５４を駆動させて空気吸込口５２より外気を吸い込み、空気吹出口５３から吹き出している。室外ユニット１１の前面は開口しており、通常、前面パネル５５によって閉じられている。室外ユニット１１内の機器のメンテナンスなどの時には、前面パネル５５を外して前面を開口させて作業が実施される。
【００４１】
箱体５１内には収納庫５８が設けられ、この収納庫５８内に圧縮機１８Ａ及び１８Ｂが収納されている。収納庫５８は圧縮機１８Ａ及び１８Ｂの熱や騒音が外部に漏れることを防止している。また、箱体５１内には、室外熱交換器２１が空気吸込口５２に沿って配設されている。室外ユニット１１の箱体１１内には四方弁２０、アキュムレータ１９等の機器が配設されており、各機器は前述の如く冷媒配管１４によって連結されて、冷凍回路の一部を構成している。
【００４２】
上記収納庫５８は、圧縮機１８Ａ及び１８Ｂを覆うと共に、前面が開口したカバー５８ａと、このカバー５８ａの開口を閉塞できる前面パネル５５とで構成されている。この実施の形態では、収納庫５８の前面パネル５５と室外ユニット１１の前面パネル５５を共有しているが、別々に設けても構わない。
【００４３】
圧縮機１８Ａは、収納庫５８の奥側で一方の側面に寄せて設置されており、圧縮機１８Ｂは、圧縮機１８Ａの前方で圧縮機１８Ａと反対の側面に寄せて設置されている。収納庫５８の下部には通風孔６４が形成されており、室外ユニット１１内の空気を収納庫５８内に導いて圧縮機１８Ａ及び１８Ｂを冷却している。
【００４４】
収納庫５８の側面には、電装部品を装着した電装パネル６５の両端が固定されている。電装パネル６５は、圧縮機１８Ａの前方に位置する第１電装部６５ａと、圧縮機１８Ｂの前方に位置する第２電装部６５ｂとを備えて構成される。第１電装部６５ａは収納庫５８の前面から離れて配置され、第２電装部６５ｂは収納庫５８の前面よりに配置されている。第１電装部６５ａには、部品の厚みが厚い端子板６６、マグネットスイッチ６７、ファン用リレー６８、コンデンサ６９などの電装部品が配設され、第２電装部６５ｂには、厚みが薄い室外制御基板部７０が配設されている。
【００４５】
ところで、上記端子板６６は、図５に示すように、それぞれ一対の端子７１Ａ及び７１Ｂ、端子７２Ａ及び７２Ｂ、端子７３Ａ及び７３Ｂ、端子７４Ａ及び７４Ｂ、端子７５Ａ及び７５Ｂが配置されたものである。端子７１Ａは端子７２Ａ、７３Ａ、７４Ａ及び７５Ａに接続され、端子７１Ｂは端子７２Ｂ、７３Ｂ、７４Ｂ及び７５Ｂに接続されて構成される。
【００４６】
上記端子７１Ａ及び７１Ｂに、この端子板６６が設置された室外ユニット１１の室外制御基板部７０が、図２にも示すように、２本の通信配線７６を用いて接続される。この室外制御基板部７０は、圧縮機１８Ａ及び１８Ｂ、四方弁２０並びに電動膨張弁２２を制御し、更に、この室外ユニット１１に冷媒配管１４、１５Ａ、１５Ｂ、１６、１７を用いて連結された氷蓄熱ユニット１２及び室内ユニット１３を制御する。
【００４７】
上記端子７２Ａ及び７２Ｂには、上記端子板６６が設置された室外ユニット１１と冷媒配管１４、１６、１７を用いて連結された氷蓄熱ユニット１２の氷蓄熱制御基板部７７が、２本の通信配線７８を用いて接続される。この氷蓄熱制御基板部７７は、室外ユニット１１の室外制御基板部７０からの指令に基づいて、電動膨張弁３８、第１電動開閉弁４１、第２電動開閉弁４２及び第３電動開閉弁４３等を制御する。
【００４８】
上記端子７３Ａ及び７３Ｂには、上記端子板６６が設置された室外ユニット１１と冷媒配管１４、１５Ａ、１５Ｂ、１６、１７を用いて連結された各室内ユニット１３のうち、一つの室内ユニット１３の室内制御基板部７９が、２本の通信配線８０を用いて接続される。他の室内ユニット１３の室内制御基板部７９は、通信配線８１を用いて相互にリンクして接続されている。各室内ユニット１３の室内制御基板部７９は、室外ユニット１１の室外制御基板部７０からの指令に基づいて、それぞれの室内ユニット１３の電動膨張弁２７、２８、２９を制御する。
【００４９】
上記端子７４Ａ及び７４Ｂには、室外ユニット１１に冷媒配管を用いて接続されていない他の室外ユニット１１における端子板６６に、２本の通信配線８２を用いて接続される。この通信配線８２を経て、この他の室外ユニット１１における室外制御基板部７０から送信された信号が、当該室外ユニット１１の室外制御基板部７０に入力される。
【００５０】
上記端子７５Ａ及び７５Ｂには、室外ユニット１１に冷媒配管を用いて接続されていない更に他の室外ユニット１１における端子板６６に、２本の通信配線８３を用いて接続される。この通信配線８３を経て、この更に他の室外ユニット１１における室外制御基板部７０へ、当該室外ユニット１１の室外制御基板部７０から出力された信号が送信される。
【００５１】
上述のように、端子板６６の端子７２Ａ及び７２Ｂ、端子７３Ａ及び７３Ｂ、端子７４Ａ及び７４Ｂ、端子７５Ａ及び７５Ｂは、それぞれ、氷蓄熱ユニット１２に接続された通信配線７８、一の室内ユニット１３に接続された通信配線８０、他の室外ユニット１１に接続された通信配線８２、更に他の室外ユニット１１に接続された通信配線８３を接続するための専用の端子である。従って、これらの端子７２Ａ及び７２Ｂ、端子７３Ａ及び７３Ｂ、端子７４Ａ及び７４Ｂ、端子７５Ａ及び７５Ｂには、それぞれ通信配線７８、８０、８２、８３のみが接続されることになる。
【００５２】
また、端子板６６には、これらの端子７２Ａ及び７２Ｂ、端子７３Ａ及び７３Ｂ、端子７４Ａ及び７４Ｂ、端子７５Ａ及び７５Ｂのそれぞれの近傍に、これらの各端子のそれぞれに通信配線７８、８０、８２、８３を用いて接続された対応する機器の名称等が表示される。例えば、端子７２Ａ及び７２Ｂの近傍には、「氷蓄熱ユニット」と表示されたラベル８４が貼着される。端子７３Ａ及び７３Ｂの近傍には、「室外ユニット」と表示されたラベル８５が貼着される。また、端子７４Ａ及び７４Ｂの近傍には、「他の室外ユニットからの入力」と表示されたラベル８６が貼着される。端子７５Ａ及び７５Ｂの近傍には、「他の室外ユニットへの出力」と表示されたラベル８７が貼着される。
【００５３】
従って、上記実施の形態によれば次の効果▲１▼〜▲３▼を奏する。
【００５４】
▲１▼端子板６６における複数個の端子７２Ａ及び７２Ｂ、端子７３Ａ及び７３Ｂ、端子７４Ａ及び７４Ｂ、端子７５Ａ及び７５Ｂのそれぞれは、各機器（氷蓄熱ユニット１２、室内ユニット１３、他の室外ユニット１１、更に他の室外ユニット１１）のそれぞれに接続された通信配線７８、８０、８２、８３を接続するための専用の端子であり、これらの端子７２Ａ及び７２Ｂ、端子７３Ａ及び７３Ｂ、端子７４Ａ及び７４Ｂ、端子７５Ａ及び７５Ｂには、氷蓄熱ユニット１２の通信配線７８、室内ユニット１３の通信配線８０、他の室外ユニット１１の通信配線８２、更に他の室外ユニット１１の通信配線８３のみがそれぞれ接続される。従って、端子板６６の端子７２Ａ及び７２Ｂ、端子７３Ａ及び７３Ｂ、端子７４Ａ及び７４Ｂ、端子７５Ａ及び７５Ｂにそれぞれ接続される通信配線７８、８０、８２、８３が錯綜しないので、これら複数個の端子７２Ａ及び７２Ｂ、端子７３Ａ及び７３Ｂ、端子７４Ａ及び７４Ｂ、端子７５Ａ及び７５Ｂのそれぞれに接続される複数本の通信配線７８、８０、８２、８３の誤配線を防止できる。と同時に、これらの通信配線７８、８０、８２、８３の誤配線を容易に発見でき、且つこの誤配線の修正も容易に実施できる。
【００５５】
▲２▼端子板６６における複数個の端子７２Ａ及び７２Ｂ、端子７３Ａ及び７３Ｂ、端子７４Ａ及び７４Ｂ、端子７５Ａ及び７５Ｂのそれぞれに、氷蓄熱ユニット１２の通信配線７８、室内ユニット１３の通信配線８０、他の室外ユニット１１の通信配線８２、更に他の室外ユニット１１の通信配線８３のみが接続されることから、端子７２Ａ及び７２Ｂ、端子７３Ａ及び７３Ｂ、端子７４Ａ及び７４Ｂ、端子７５Ａ及び７５Ｂに１本の配線が固定して接続される。このため、これらの通信配線７８、８０、８２、８３の接続作業が容易となって、端子７２Ａ及び７２Ｂ、端子７３Ａ及び７３Ｂ、端子７４Ａ及び７４Ｂ、端子７５Ａ及び７５Ｂのそれぞれによる通信配線７８、８０、８２、８３の固定を強固に実施できる。
【００５６】
▲３▼端子板６６における端子７２Ａ及び７２Ｂ、端子７３Ａ及び７３Ｂ、端子７４Ａ及び７４Ｂ、端子７５Ａ及び７５Ｂの近傍に、これらの各端子のそれぞれに接続される通信配線７８、８０、８２、８３に対応した機器（それぞれ氷蓄熱ユニット１２、室内ユニット１３、他の室外ユニット１１、更に他の室外ユニット１１）の名称等が表示されたラベル８４、８５、８６、８７がそれぞれ貼着されたことから、端子７２Ａ及び７２Ｂ、端子７３Ａ及び７３Ｂ、端子７４Ａ及び７４Ｂ、端子７５Ａ及び７５Ｂにどの配線を接続すべきかが明瞭になる。この結果、端子７２Ａ及び７２Ｂ、端子７３Ａ及び７３Ｂ、端子７４Ａ及び７４Ｂ、端子７５Ａ及び７５Ｂへの配線の誤配線を確実に防止できる。
【００５７】
以上、本発明を上記実施の形態に基づいて説明したが、本発明はこれに限定されるものではない。
【００５８】
例えば、上記実施の形態では、各空気調和装置１０に氷蓄熱ユニット１２を備えた空気調和システム１の場合を述べたが、室外ユニット１１及び室内ユニット１３からなる空気調和装置を有する空気調和システムにおいても本発明を適用できる。
【００５９】
【発明の効果】
以上のように、請求項１または２に記載の発明によれば、室外ユニットに設置された端子板の複数個の端子に接続される複数本の配線の誤配線を防止できる。
【図面の簡単な説明】
【図１】本発明に係る空気調和システムの一実施の形態を示す系統図である。
【図２】図１の空気調和装置を示す管路図である。
【図３】図１の室外ユニットを、前面パネルを除いて示す正面図である。
【図４】図３のIV−IV線に沿う断面図である。
【図５】図４の端子板を拡大して示す正面図である。
【図６】室外ユニットに設置された従来の端子板を示す正面図である。
【符号の説明】
１  空気調和システム
１０  空気調和装置
１１  室外ユニット
１２  氷蓄熱ユニット（蓄熱ユニット）
１３  室内ユニット
１８Ａ、１８Ｂ  圧縮機
２１  室外熱交換器
６６  端子板
７１Ａ、７１Ｂ  端子
７２Ａ、７２Ｂ  端子
７３Ａ、７３Ｂ  端子
７４Ａ、７４Ｂ  端子
７５Ａ、７５Ｂ  端子
７６、７８、８０、８２、８３  通信配線
【図１】
0004251775.tif 000002
【図２】
0004251775.tif 000003
【図３】
0004251775.tif 000004
【図４】
0004251775.tif 000005
【図５】
0004251775.tif 000006
【図６】
0004251775.tif 000007